(57)【要約】【課題】インターネットを介して香り情報を配信し、この情報を携帯電話機で受信し携帯電話機の充電時にその充電器からユーザの嗜好にあう香りを発生させる。【解決手段】香りを喚起するべくイメージ画像を基にし、香り情報をインターネットを通じてユーザに配信する。ユーザは携帯電話機操作に基づきこの電話機充電器の中に設置された香り発生装置から嗜好にあった香りを発生させる。また香り発生装置に挿入する香りシートは記憶媒体が組み込まれており、この情報を読み取り希望の香りを発生させる事もできる。【選択図】    図１
2006054836.tif 000002
【特許請求の範囲】
【請求項１】
情報通信ネットワークを介し携帯電話機に対し香りの再現データを送信する香り配信サーバと、その香りの再現データを受け取る前記携帯電話機と、これを格納する充電台を備えた香り配信システムにおいて、前記香りの再現データを携帯電話の操作に従い、充電台の中に設置された香り発生装置から香りを発生する事を特徴とする携帯電話機充電器。
【請求項２】
請求項１に記載の携帯電話機用充電器に設置された前記香り発生装置は情報記憶媒体を保持した香りシートを着脱可能に備え、前記香り発生装置では前記情報記憶媒体から香り情報を読み取る情報読取装置を設けた事を特徴とする携帯電話機充電器。
【請求項３】
請求項１に記載の携帯電話機用充電器は、携帯電話機の信号発信操作に従いその信号受信を行い前記香り発生装置を稼動する事を特徴とする携帯電話機充電器。
【請求項４】
請求項１に記載の携帯電話機用充電器は、各社販売の異なる充電器を格納できる事を特徴とする携帯電話機用充電器。
【発明の詳細な説明】
【技術分野】
【０００１】本発明は、ユーザの嗜好する香りを発生する機能を有した携帯電話機用の充電器に関する。
【背景技術】
【０００２】携帯電話は著しい技術革新に伴い、通常の通話機能のほかに、例えばデジカメ、インターネット、電子メールなどの多種多様の機能が提供されている。
しかしながら従来の携帯電話機の充電器においては、携帯電話機本体に充電する機能がほとんどであるが、昨今携帯電話機で撮影された画像を連結したＵＳＢ端末通じてパソコンに取り入れる製品が市販され、またこの充電器にラジオや照明ライトなどの機能を付加する多目的の考案などが提案されはじめ、本来の充電目的以外に色々な目的で利用され始めている。また携帯電話機本体から直接ユーザが嗜好する香りを発生する機構の提案も行われている。
【発明の開示】
【発明が解決しようとする課題】
【０００３】しかしながら携帯電話機の中に上記の香り発生機能を組み込む事は、機器の構造を複雑にしその結果本機のサイズを大きくする結果となり、ユーザにとっては好ましくないと思われる。その為に本発明は携帯電話機に直接香り発生機構を組み込むのではなく、日常的に常時利用される携帯電話機用の充電器にこの機能を持たせるものである。
なお携帯電話機の充電器は、例えば就寝時などは専用の充電器にこれをセットしておく事が多いが充電目的以外では使用されないのが現状である。
本発明は上記事由に鑑みてなされたものであり、その目的とする所は携帯電話機用充電器を充電機能以外にユーザが嗜好する香り発生の機能を設けた点にある。
【課題を解決するための手段】
【０００４】本発明は前記課題を解決する為に行なうものであり、第一の特徴は充電器の機能として従来の充電機能のほかに、香り発生装置を内蔵し、インターネットを経由し携帯電話機中に配信された香り再現情報を読み取り目的とする香りを発生させる事にある。【０００５】本発明第二の特徴は、前記香り発生装置にセットされる香りシートの中に情報記憶媒体を埋設しその中に香り発生の為の情報を記憶させ、本充電器内に設置された情報読取装置によりこの情報を読み取り、希望する香りを発生させる事にある。この場合には携帯電話機の操作は必要とせず単独で香り発生を行う事ができる。【０００６】本発明第三の特徴は、本充電機では受信機能を具備しそれにより携帯電話機から発信される信号を受信できる点にある。この機能により本充電器は携帯電話機と一体化する事なく利用でき、遠隔操作によりユーザが目的とする香りを発生させる事ができる。【０００７】本発明第四の特徴は、本充電機では各社各様に作られた携帯電話機の充電器を格納できる機能がある。その結果ユーザはメーカの差異無く色々な充電器を用いて彼が嗜好する香りを発生させる事ができる。
【発明を実施するための最良の形態】
【０００８】次に図面を参照して本発明の第一、第二、第三および第四の実施の形態を説明する。【０００９】（第一の実施の形態）
以下、本発明の実施形態による芳香伝達方式について図面を参照にしながら説明する。
図１は本発明の第一の実施形態にかかわる全体概要図であり本システムは香り情報配信システム１００、携帯電話機２００、充電台４００から構成される。
ユーザに提供するべき香り再現データは、香り配信事業者が制作し香り情報配信システム１００にそのデータが登録管理される。この再現データはユーザの携帯電話機の画面操作により、自己携帯電話機に取り込まれる。そして携帯電話機を充電の目的で充電台にセットした時、充電台４００内に設けられた制御部４０１は、香り発生装置３００に指示をだし香り発生装置に挿入された香りのシートに封入されている数種の芳香剤を放出させて求める香りが再現される。
図２は携帯電話機を充電台にセットした時、香り発生に係る各部署の機能図である。
以下、図１を基にして、各担当部署の役割を説明する。【００１０】「香り情報配信システム」
香り配信システム１００は、配信サーバ１０１と香り情報記憶装置１０２からなる。
香り再現データは、本システムを運営管理を行う香り配信事業者により作成され、常時更新が行われ香り情報記憶装置１０２に保存されている。そしてこれらの再現データはインターネット回線を通じて配信サーバ１０１によりユーザの求めに応じて提供されている。【００１１】「携帯電話機」
携帯電話機は、本来電話通話の目的となる機能がメインであるがここでは本発明に係わる部分に限定して記述する。携帯電話機２００は、制御部２０１、受信部２０２、接続部２０３、香りプログラム２０４、プログラム記憶部２０５、データ記憶部２０６から構成される。受信部２０２はインターネットに接続し前記香り情報配信システム１００から香りの関係のプログラム及び香り再現データを取り込む役割を担う。このプログラム及びデータは香り情報配信システム１００からインターネットにより配信され、各々携帯電話機２００中の内部メモリ中プログラム記憶部２０５、データ記憶部２０６に保管されユーザの求めに応じて呼び出される。接続部２０３は香り再現データを充電台４００の中に設けられた香り発生装置３００に転送する役割を担う。
アンテナ２０７は通常携帯電話機としての通話アンテナ機能のほか、第三の実施の形態で説明する充電台単独利用の場合に、香り再現データに対する信号発信の目的で利用される。なお香り復元データの伝達方法は、上記接続部２０３を通じて行う方法と、第三の実施の形態で示す携帯電話機２００からの無線信号による方法がある。【００１２】「香り発生装置」
続いて香り発生装置の構成を説明する。香り発生装置３００は、主に制御部３０１、発熱部３１０、香りシート３２０から構成される。香り発生装置３００は接続部２０３、または無線通信手段によりユーザ携帯電話機２００と連携が保たれる。香り発生装置３００は、本体に香りシート３２０を着脱自在に取り付けられる構造にて、香りシート３２０を載置する本体凹部には、セラミックヒータ、ニクロム線、電球などの発熱体３０７が香りシート３２０中の香り素材の位置に合わせた配置で埋め込まれている。【００１３】携帯電話機２００からの香り再現データを、接続部２０３が受け取ると、制御部３０１の指示に基づき前記発熱体３０７のうち１個あるいは複数個が単独でまたは同時に時間的なスケジュール管理のもと通電される。その結果、発熱体３０７の上部に設置された香りシート３２０の指定された区画が加熱され、所定の求める香りが発生する。【００１４】「香りシート」
香りシート３２０は、区画ごとに異なる種類の香りの素（芳香材）が封印され各区画の配列は、下位の各発熱体３０７の位置と一致するようにあらかじめ位置が定められている。香りシートの表面にはこのシートから発生する香りをイメージした画像やデザインされた文字などが描かれている。また情報記憶媒体（ＩＣタグ、磁気媒体、バーコードなど）も必要に応じて埋め込まれている。例えばこのシートは微細なカプセル（マイクロカプセル）を封入し製作する事もできる。【００１５】続いて本システムの利用方法に関して説明する。
まずユーザは携帯電話を使って、香り情報配信システム１００のインターネットサイトの呼び出しを行う。又はプログラム記憶部２０５に保管されている香りプログラム２０４の起動を行う。後者の場合にはこのプログラムは事前に香り情報配信システム１００から配信されている。ユーザはこの香りプログラム２０４の起動を自己携帯電話機の画面操作によって行う。その操作画面は利用目的に応じて別れている。ここで表示される画像は、上位香り情報配信システムで制作され保管された香りに係る画像でありユーザの利用目的毎にサムネイル形式で表示する。大きくわけて
▲１▼香りをイメージした画像に関するもの
▲２▼健康、癒しに関するもの
▲３▼占い、運勢に関するもの  がある。
なお本システムでは、官能的である香りの表現方法として、その香りを喚起できるイメージ画像により提供を行っている。【００１６】次にユーザが上記選定画像の中からその一つの画像を選択しクリックする。この画像をクリックするとこの画像が示唆する香り復元データがユーザ携帯電話機のデータ記憶部２０６に保存される。なおこの香り復元データ（画像、香りデータ）の提供源は２箇所あり、
（イ）インターネットを介して上位香り配信システム１００の前記香り情報記憶装置１０２から読み込むか、
（ロ）ユーザ携帯電話機２００中データ記憶部２０６にある以前ユーザ自身が取り込んだデータを読み込むか、でありそのいずれかを指定する。【００１７】以上の操作終了後、ユーザが後で携帯電話機２００を充電台４００にセットするとき、充電台内の制御部４０１は、携帯電話機２００内のデータ記憶部２０６に保存されている香り復元データを、接続部２０３を経由して読取り、この復元データを解析し発熱部３１０へ発熱の指示を行う。その結果ユーザの嗜好にあった香りを発生させる事ができる。
なお送風機３０６は発生した香りを外部に送り出すものであり、電源４１０はこの充電台４００を起動するスイッチである。【００１８】（第二の実施の形態）
以下本発明の、第二の実施の形態を説明する。
本実施の形態において、香り復元データの情報源は香りシート３２０中に埋設された情報記憶媒体３０４に保管されている。この復元データ（発香の為の情報：香りの保管場所、発熱時間など）は情報読取装置３０３により読取られその結果ユーザが嗜好する香りが香り発生装置３００から発生される。なおこの場合香りシート上には発生する香りのイメージ画が描いてあるのでユーザは、発生する香りのイメージを持つ事ができる。
もし香り復元データが香りシートと携帯電話機から同時に送られてきた場合には、香りシート３２０内の香り復元データが優先する。従ってこのルールに従えば、充電台４００のみ単独利用で香りを発生することができる。
制御部３０１は発熱部３１０へ香り復元データを通知し発熱指示を行う。以上の作業によりユーザが目的とする香りを発生させる事ができる。
なおこの場合の香り発生装置３００の起動は、電源４１０をオンにするか、又は携帯電話機２００の信号操作により行われる。【００１９】「記憶媒体の説明」
ここで言う「記憶媒体」とはＩＣタグ、バーコード、その他の磁気記憶媒体を言う。
なお前記第一、第二の実施の形態において、香り情報として音楽、発光などのデータを含めて提供することもできる。【００２０】（第三の実施の形態）
以下本発明の、第三の実施の形態を図３を基に説明する。
本実施の形態は図２で示す第一の実施の形態から充電回路４０２、接続部２０３を削除し、新たに受信部４０４及びアンテナ４０５を設けて構成する。この受信部４０４の機能は、携帯電話機２００から発せられる信号を受信するものである。ここで言う信号とは、携帯電話機２００中データ記憶部２０６に記憶されている香り復元データの他に、ダイヤルボタン２０８を押して操作する数字データを示す。
ユーザはまず香り情報配信システム１００を通じてこれから発生させたい香り情報を選択する。次にユーザは、携帯電話機２００を使って離れた場所に設置された充電台４００にその香り復元データを発信する。この場合無線信号は電話回線情報と異なる信号の送信であるから電話料金の発生は行われない。
本充電台４００は制御部４０１の制御のもと、この無線信号はアンテナ４０５を経由して受信部４０４で受信し、そのデータを解析し香り発生装置３００の稼動を行う。この結果ユーザが嗜好する香りを発生する事ができる。【００２１】（第四の実施の形態）
以下本発明の、第四の実施の形態に関して図４を基に説明する。
現在携帯電話機の充電器は、メーカ毎、機種毎に形状の異なるものが作られている。しかしながら携帯電話機に充電するという機能は一致している。
本実施の形態における提案は、これらサイズの異なる携帯電話機の充電器に対応できる点に特徴がある。
この考案は図３で示す単独利用の場合を基として、充電台４００の中に任意のサイズの充電器を保持できる充電台の収納部５００を設ける事で上記問題点を解決する。なおデータ送信方法は第三の実施の形態に従った方式をそのまま利用する。
【利用方法】
【００２２】本案では電源はすべて交流１００Ｖ電源から供給するように記述したが、一方パソコンＵＳＢ端末から供給されている電源を利用する事もできる。この場合パソコン側でも香り情報システム１００へインターネットを通じてアクセスし香り復元データの取得ができるので便利である。
また接続機器制御部４０３は他の機器、例えばＵＳＢ機器のほか各種外部機器との連携を行う事ができるので本充電台４００は多目的な機器として色々な応用が期待できる。
【図面の簡単な説明】
【００２３】
【図１】本発明の第一の実施の形態に係わる携帯電話機充電器から香り発生に至るまでの全体概要図である。
【図２】本発明の第一の実施の形態に係わる機器構成図である。
【図３】本発明の第二の実施の形態に係わる機器構成図である。
【図４】本発明の第三の実施の形態に係わる機器構成図である。
【符号の説明】
【００２４】１００      香り情報配信システム
１０１      配信サーバ
１０２      香り情報記憶装置
２００      携帯電話機
２０１      制御部
２０２      受信部
２０３      接続部
２０４      香りプログラム
２０５      プログラム記憶部
２０６      データ記憶部
２０７      アンテナ
３００      香り発生装置
３０１      制御部
３０３      情報読取装置
３０４      情報記憶媒体
３０６      送風機
３０７      発熱体
３１０      発熱部
３２０      香りシート
４００      充電台
４０１      制御部
４０２      充電回路
４０３      接続機器制御部
４０４      受信部
４０５      アンテナ
４１０      電源
５００      収納台
５０１      各社充電器
【図１】
2006054836.tif 000003
【図２】
2006054836.tif 000004
【図３】
2006054836.tif 000005
【図４】
2006054836.tif 000006